(57)【要約】【課題】データ曲線の全体と先端部分を同時に観察できるようにする。【解決手段】データ処理装置１２はＡ／Ｄ変換器１０を経て取り込んだ吸光度データを波長に従って順次記憶していく記憶装置のデータメモリ２０と、データメモリ２０に記憶された検出データの全てを全体グラフとして表示部１４に表示していくとともに、データメモリ２０に記憶された検出データのうち、最も新しい検出データから一定範囲さかのぼった検出データまでを先端グラフとして、全体グラフよりも拡大された倍率で全体グラフとともに表示部１４に表示していく表示制御部２２を備えている。【選択図】　図２
2004144541.tif 000002
【特許請求の範囲】
【請求項１】
分析の進行とともに分析装置の検出データを記憶装置に順次記憶していく記憶ステップと、
前記記憶装置に記憶された検出データの全てを全体グラフとして表示部に表示していく全体表示ステップと、
前記記憶装置に記憶された検出データのうち、最も新しい検出データから一定範囲さかのぼった検出データまでを先端グラフとして、前記全体グラフよりも拡大された倍率で前記全体グラフとともに前記表示部に表示していく先端部分表示ステップとを備えたことを特徴とするグラフ表示方法。
【請求項２】
前記先端部分表示ステップは、前記分析装置が検出データの取得を終了した後は前記表示部への表示を停止する請求項１に記載のグラフ表示方法。
【請求項３】
分析装置の検出データを順次記憶していく記憶装置と、
検出データをグラフにして表示する表示部と、
前記記憶装置に記憶された検出データの全てを全体グラフとして前記表示部に表示していくとともに、前記記憶装置に記憶された検出データのうち、最も新しい検出データから一定範囲さかのぼった検出データまでを先端グラフとして、前記全体グラフよりも拡大された倍率で前記全体グラフとともに前記表示部に表示していく表示制御部とを備えたことを特徴とするグラフ表示装置。
【請求項４】
請求項３に記載のグラフ表示装置を備えた分析装置。
【請求項５】
この分析装置は分光光度計であり、表示されるグラフはスペクトル曲線である請求項４に記載の分析装置。
【発明の詳細な説明】
【０００１】
【発明の属する技術分野】
本発明は分析装置において、スペクトルやクロマトグラムのようなグラフを表示する表示方法、表示装置及びグラフ表示装置を備えた分析装置に関するものである。
【０００２】
本発明が対象とする分析装置は、検出データをグラフとしてリアルタイムに表示していく表示部を備えた分析装置であればいずれも対象とするものであり、例えばＵＶ（紫外）分光光度計、紫外・可視分光光度計その他の分光光度計、ＦＴＩＲ（フーリエ変換型赤外）分光光度計その他の赤外分光光度計、ＮＭＲ（核磁気共鳴）、液体クロマトグラフ、ガスクロマトグラフなどである。
【０００３】
【従来の技術】
分光光度計では、試料に光を照射し、その透過光、反射光又は蛍光を検出し、その吸光度や検出強度を波長に対して表示していくとスペクトルが得られる。またクロマトグラフでは、カラムにより分離され溶出してくる成分を検出して時間に対して表示していくとクロマトグラムが得られる。
【０００４】
分光光度計でスペクトル曲線を表示する場合を例にして説明すると、スペクトル曲線は分光器が波長走査をし、それに伴って各波長での吸光度が取り込まれ、順次表示装置に表示されていく。表示されるのは順次取り込まれた吸光度をつなぎ合わせていった全体のスペクトル曲線のみであり、スペクトル曲線は分光光度計による吸光度データの取得に伴ってオンラインで表示されていく。
【０００５】
全体のスペクトル曲線だけでなく、一部分の微小な領域を観察したいためにその部分を拡大して表示させたい場合がある。表示装置によっては、一部分を拡大して表示する機能を備えたものもあるが、その場合、一部分を拡大すると、その拡大したグラフのみが表示され、全体グラフの表示は犠牲にされていた。
【０００６】
【発明が解決しようとする課題】
分光光度計に限らず、クロマトグラフにおいても、分析者は分析途中で表示されつつあるデータ曲線の全体とともに、新たに表示されていくデータ曲線の先端付近を拡大して見たいという要請が強い。しかし、従来の表示装置ではデータ曲線の全体のグラフと、先端部分の図形を同時に見ることはできなかった。
【０００７】
そこで、本発明はスペクトルやクロマトグラムで測定と同時に表示されているグラフにおいて、データ曲線の全体と先端部分を同時に観察できるようにすることを目的とするものである。
【０００８】
【課題を解決するための手段】
本発明のグラフ表示方法は、分析の進行とともに分析装置の検出データを記憶装置に順次記憶していく記憶ステップと、前記記憶装置に記憶された検出データの全てを全体グラフとして表示部に表示していく全体表示ステップと、前記記憶装置に記憶された検出データのうち、最も新しい検出データから一定範囲さかのぼった検出データまでを先端グラフとして、前記全体グラフよりも拡大された倍率で前記全体グラフとともに前記表示部に表示していく先端部分表示ステップとを備えたことを特徴とするものである。
【０００９】
本発明のグラフ表示装置は、分析装置の検出データを順次記憶していく記憶装置と、検出データをグラフにして表示する表示部と、前記記憶装置に記憶された検出データの全てを全体グラフとして前記表示部に表示していくとともに、前記記憶装置に記憶された検出データのうち、最も新しい検出データから一定範囲さかのぼった検出データまでを先端グラフとして、前記全体グラフよりも拡大された倍率で前記全体グラフとともに前記表示部に表示していく表示制御部とを備えたことを特徴とするものである。
【００１０】
このように、分析の途中では全体グラフと先端グラフが同一表示部に同時に表示されていくので、分析者は特別な操作をしなくてもデータ取得の先端の細部の様子を常に観察することができる。
【００１１】
分析終了後は先端グラフは必要ないので、先端部分表示ステップは、分析装置が検出データの取得を終了した後は表示部への表示を停止するようにすることができる。
本発明の分析装置は、表示装置として本発明のグラフ表示装置を備えたものである。
【００１２】
そのような分析装置としては、（紫外分光光度計、紫外・可視分光光度計その他の分光光度計、フーリエ変換型赤外分光光度計その他の赤外分光光度計、ＮＭＲ、高速液体クロマトグラフなどの液体クロマトグラフ、ガスクロマトグラフなどを挙げることができる。その分析装置として分光光度計に本発明を適用したときは、表示されるグラフはスペクトル曲線となる。
【００１３】
【発明の実施の形態】
一実施例として分光光度計を例にして本発明を詳細に説明する。
図１は分光光度計を概略的に表わしたものである。
光源２からの光が分光器４で分光されて試料室６の試料に照射される。試料を透過した光が検出器８で検出され、吸光度が求められる。分光器６の波長を走査することによってスペクトルを得ることができる。一般にスペクトルは長波長側から短波長側に向かって走査される。
検出器８で得られた検出信号はＡ／Ｄ変換器１０によってデジタル信号に変換され、データ処理装置１２を経て表示部１４にスペクトルとして表示されていく。
【００１４】
データ処理装置１２は、Ａ／Ｄ変換器１０を経て取り込んだ吸光度データを順次表示して全体のスペクトルを表わすグラフとして液晶ディスプレーなどの表示部１４に表示していくとともに、その先端部分の一定波長範囲のグラフを全体のスペクトルよりも拡大された倍率で同じ表示部１４に先端部分スペクトルとして表示していく。
データ処理装置１２は、分光光度計に設けられた専用のデータ処理装置であってもよく、汎用のパーソナルコンピュータを使用してもよい。
【００１５】
図２にグラフ表示装置の概略構成を示す。データ処理装置１２はＡ／Ｄ変換器１０を経て取り込んだ吸光度データを波長に従って順次記憶していく記憶装置のデータメモリ２０と、データメモリ２０に記憶された検出データの全てを全体グラフとして表示部１４に表示していくとともに、データメモリ２０に記憶された検出データのうち、最も新しい検出データから一定範囲さかのぼった検出データまでを先端グラフとして、全体グラフよりも拡大された倍率で全体グラフとともに表示部１４に表示していく表示制御部２２を備えている。
【００１６】
データメモリ２０は、例えば図３に示されるように、波長（ｎｍ）に対してデータとして吸光度を記憶していく。いま例えば、９００ｎｍ〜２００ｎｍの範囲のスペクトルを求める場合について説明する。データ処理装置１２は分光器４の走査に伴って９００ｎｍから１ｎｍ単位で吸光度を取り込んでいき、データメモリ２０に記憶していく。表示制御部２２はデータメモリ２０に記憶された全ての吸光度を波長に対して表示することによりスペクトルを表示部１４上に表示していく。
【００１７】
波長走査により得られた吸光度は、図３に示されるように、９００ｎｍから順次取り込まれていく。図３の例では４３０ｎｍの吸光度データまで取り込まれた状態を示している。全体のスペクトルとしては、図３のデータメモリ２０にＡで示されるように、９００ｎｍから最新の吸光度データまでが表示され、図４にＡで示されたようなグラフとして表示されていく。この時点では９００〜４３０ｎｍの吸光度が表示されたスペクトルとなっている。
【００１８】
データ処理装置１２では、全体のスペクトルＡとともに、図３の右側に示されているように、データメモリ２０に記憶されているデータから最新の一定波長範囲、例えば２０ｎｍの範囲、のデータが先端部分ｂのデータとして取り出され、これも同じ表示部に全体のスペクトルＡとともに先端部分スペクトルＢとして同時に表示されていく。先端部分スペクトルＢは波長走査に伴って１ｎｍずつ変化しつつ表示が更新されていく。今表示されているのは４４９〜４３０ｎｍの範囲のデータｂｎであり、その１つ前の時間ではデータｂｎ−１、さらにその前の時間ではｂｎ−２というように１ｎｍずつ表示範囲がずれていく。
走査が２００ｎｍまで行なわれてデータ取得が終了すると、その後は先端部分スペクトルＢの表示は消えるようにプログラムされている。
【００１９】
図５はこの分光光度計の動作を装置起動から測定終了まで概略的に表わしたものである。測定開始からグラフの表示、測定終了までの過程でこの発明が適用される。
【００２０】
実施例で先端部分スペクトルＢに表示する範囲は、波長範囲を２０ｎｍとしているが、この範囲はユーザが任意に設定することができるようにしてもよい。縦軸の吸光度は、最も見やすい大きさになるように設定すればよく、これもユーザが任意に設定できるようにしてもよいが、オートスケール的に自動的に設定されるようにしておいてもよい。
【００２１】
実施例で先端部分スペクトルＢの表示画面は、全体のスペクトルＡの画面よりも小さくし、表示位置はスクリーン上の分析者が見やすい位置に適当に配置すればよい。スペクトルＡとＢの表示画面は完全に離してしまうと無駄なスペースが増えるが、逆にあまり重なってしまうと全体のスペクトルＡが隠れる領域が増えるので、適当な重なりをもつ程度に重ねて表示するのが適当である。
【００２２】
また全体のスペクトルＡの画面の位置は固定しておき、先端部分スペクトルＢの画面の位置は全体のスペクトルＡの進行状態に応じて全体のスペクトルＡの表示の支障にならないように時間とともに位置を変えていくようにしてもよい。
【００２３】
先端部分スペクトルＢの画面に表示する波長範囲の大きさは、分析者が自由に設定できるようにした場合は、先端付近を緻密に観察したいときには波長範囲を小さめに設定すればよく、ある程度の範囲にわたって観察したいときには大きめに設定すればよい。
【００２４】
図４に示されるように、吸光度データの取得に伴って全体のスペクトルＡが順次完成されていき、それとともにデータ曲線の進行の先端部分をリアルタイムに追いかけるように移動しながら先端部分スペクトルＢとして拡大して表示されていく。
【００２５】
実施例は分光光度計でスペクトルを表示する場合を例にして説明しているが、本発明はクロマトグラムでも同様に適用することができる。クロマトグラムに適用すると、カラムから溶出する成分のピーク波形を先端部分を拡大して部分的に表示しながら観察できるようになる。
【００２６】
【発明の効果】
本発明によれば測定中は分析者が先端部分を拡大して表示するための特別な操作の必要もなく、全体のグラフと先端部分のグラフが同時に表示されるので、測定中に分析者が測定結果を考察するのに効果的である。
また、測定途中で測定者がマニュアル走査で部分を拡大するという操作が不要であるので、工数が軽減し、操作性が向上する。
【図面の簡単な説明】
【図１】本発明における分析装置の一実施例である分光光度計を概略的に示すブロック図である。
【図２】本発明におけるグラフ表示装置を示すブロック図である。
【図３】一実施例におけるデータメモリの記憶内容の一例を示す概略図である。
【図４】一実施例の動作を示す表示画面を示す図である。
【図５】一実施例の動作を示すフローチャート図である。
【符号の説明】
２　　　光源
４　　　分光器
６　　　試料室
８　　　検出器
１２　　　データ処理装置
１４　　　表示部
２０　　　データメモリ
２２　　　表示制御部
【図１】
2004144541.tif 000003
【図２】
2004144541.tif 000004
【図３】
2004144541.tif 000005
【図４】
2004144541.tif 000006
【図５】
2004144541.tif 000007